(57)【要約】【課題】  絨毯等に付着した毛や糸屑等を効率よく掃除することができる電気掃除機を提供することを課題とする。【解決手段】  下面に吸込口３を有する吸込具ケース２の内部に、吸込口３に臨ませて回転ブラシ４を収納した構造の床用吸込具１を備えた電気掃除機において、前記床用吸込具１は、回転ブラシ４にシート１３を巻き付け可能に構成され、シート１３が巻き付けられた状態の回転ブラシ４は、外周表面に複数の凸部１２を有する構成とする。【選択図】    図６
2005034600.tif 000002
【特許請求の範囲】
【請求項１】
下面に吸込口を有する吸込具ケースの内部に、吸込口に臨ませて回転ブラシを収納した構造の床用吸込具を備えた電気掃除機において、前記床用吸込具は、回転ブラシにシートを巻き付け可能に構成され、シートが巻き付けられた状態の回転ブラシは、外周表面に複数の凸部を有するように形成されてなることを特徴とする電気掃除機。
【請求項２】
前記シートは不織布製の生地で構成され、前記凸部は、シートを構成する不織布の片面に合成樹脂により形成されてなることを特徴とする請求項１記載の電気掃除機。
【請求項３】
前記シートは不織布製の生地で構成され、前記凸部は、シートを構成する不織布の両面に合成樹脂により形成されてなることを特徴とする請求項１記載の電気掃除機。
【請求項４】
前記シートの両表面に形成された凸部は、少なくとも片面側の凸部が先端形状を鋭角に形成されてなることを特徴とする請求項３記載の電気掃除機。
【請求項５】
前記シートは不織布の生地で構成され、前記凸部は、シートを構成する不織布にゴムを付着させることによりシート表面に形成されてなることを特徴とする請求項１記載の電気掃除機。
【請求項６】
前記シートは不織布製の生地で構成され、前記凸部は、シートを構成する不織布を加熱処理して凹凸を設けることによりシート表面に形成されてなることを特徴とする請求項１記載の電気掃除機。
【請求項７】
前記シートは不織布製の生地で構成され、前記凸部は、片面に複数の突出部を形成したフィルムをシートを構成する不織布に付着させることにより形成されてなることを特徴とする請求項１記載の電気掃除機。
【請求項８】
前記シートは不織布の生地で構成され、前記回転ブラシは、外側に突出する複数の突出部を有し、前記凸部は、この突出部に接して突出するシートにより形成されてなることを特徴とする請求項１記載の電気掃除機。
【請求項９】
前記回転ブラシは、外側に突出する複数の突出部を有し、前記凸部は、シートを突き破ってシートの外側に露出するこの突出部により形成されてなることを特徴とする請求項１記載の電気掃除機。
【請求項１０】
下面に吸込口を有する吸込具ケースの内部に、吸込口に臨ませて回転ブラシを収納した構造の床用吸込具を備えた電気掃除機において、前記床用吸込具は、回転ブラシにシートを巻き付け可能に構成され、前記シートにブラシを植毛し、前記シートが回転ブラシに巻き付けられた状態において、前記ブラシは、前記シートの外周面より張り出していることを特徴とする電気掃除機。
【発明の詳細な説明】
【技術分野】
【０００１】
本発明は、床用吸込具を有する電気掃除機に関し、特に回転ブラシを有する電気掃除機に関する。
【背景技術】
【０００２】
従来、電気掃除機の床用吸込具は、毛のブラシ又はゴム製のブレードが設けられた回転ブラシを備えており、絨毯等を掃除する際には回転ブラシを回転させることにより絨毯等からごみを掻き取り、掻き取ったごみを吸引することで効率的に掃除ができるようになされている。
【特許文献１】特開２００２−３４５６９９号公報
【発明の開示】
【発明が解決しようとする課題】
【０００３】
しかしながら、ペットを飼っている家庭では、ペットの毛がたくさん絨毯等に付着しており、このような家庭で一般の回転ブラシを使用しても、十分に絨毯等からペットの毛を掻き取ることができない問題があった。
【０００４】
本発明は、このような課題を解決するためになされたものであり、絨毯等に付着した毛や糸屑等を効率よく掃除することができる電気掃除機を提供することを課題とする。
【課題を解決するための手段】
【０００５】
上記課題を解決するための第１の手段は、下面に吸込口を有する吸込具ケースの内部に、吸込口に臨ませて回転ブラシを収納した構造の床用吸込具を備えた電気掃除機において、前記床用吸込具は、回転ブラシにシートを巻き付け可能に構成され、シートが巻き付けられた状態の回転ブラシは、外周表面に複数の凸部を有するように形成されてなることを特徴とする。
【０００６】
上記課題を解決するための第１の手段において、前記シートは不織布製の生地で構成され、前記凸部は、シートを構成する不織布の片面に合成樹脂により形成されてなることが好ましい。
【０００７】
上記課題を解決するための第１の手段において、前記シートは不織布製の生地で構成され、前記凸部は、シートを構成する不織布の両面に合成樹脂により形成されてなることが好ましい。
【０００８】
上記課題を解決するための第１の手段において、前記シートの両表面に形成された凸部は、少なくとも片面側の凸部が先端形状を鋭角に形成されてなることが好ましい。
【０００９】
上記課題を解決するための第１の手段において、前記シートは不織布の生地で構成され、前記凸部は、シートを構成する不織布にゴムを付着させることによりシート表面に形成されてなることが好ましい。
【００１０】
上記課題を解決するための第１の手段において、前記シートは不織布製の生地で構成され、前記凸部は、シートを構成する不織布を加熱処理して凹凸を設けることによりシート表面に形成されてなることが好ましい。
【００１１】
上記課題を解決するための第１の手段において、前記シートは不織布製の生地で構成され、前記凸部は、片面に複数の突出部を形成したフィルムをシートを構成する不織布に付着させることにより形成されてなることが好ましい。
【００１２】
上記課題を解決するための第１の手段において、前記シートは不織布の生地で構成され、前記回転ブラシは、外側に突出する複数の突出部を有し、前記凸部は、この突出部に接して突出するシートにより形成されてなることが好ましい。
上記課題を解決するための第１の手段において、前記回転ブラシは、外側に突出する複数の突出部を有し、前記凸部は、シートを突き破ってシートの外側に露出するこの突出部により形成されてなることが好ましい。
上記課題を解決するための第２の手段は、下面に吸込口を有する吸込具ケースの内部に、吸込口に臨ませて回転ブラシを収納した構造の床用吸込具を備えた電気掃除機において、前記床用吸込具は、回転ブラシにシートを巻き付け可能に構成され、前記シートにブラシを植毛し、前記シートが回転ブラシに巻き付けられた状態において、前記ブラシは、前記シートの外周面より張り出していることを特徴とする。
【発明の効果】
【００１３】
本発明の請求項１の構成によれば、シートの凸部により絨毯等に付着している髪の毛や糸屑を掻き取ることができるため、ペットを飼っている家庭においても絨毯等を効率的に掃除することができる等の効果を奏する。
【００１４】
本発明の請求項２の構成によれば、凸部を簡単な構成により形成することができる等の効果を奏する。
【００１５】
本発明の請求項３の構成によれば、凸部を簡単な構成により形成することができる。また、シートの両面を使用することができ、シートを長期に渡り使用することができる。また、シートを回転ブラシに巻き付けた際、凸部により剥がれを棒することができる等の効果を奏する。
【００１６】
本発明の請求項４の構成によれば、先端を鋭角に形成した凸部により、シートを回転ブラシに確実に巻き付けることができると共に、剥がれを確実に防止することができる等の効果を奏する。
【００１７】
本発明の請求項５の構成によれば、凸部を簡単な構成により形成することができる等の効果を奏する。
【００１８】
本発明の請求項６の構成によれば、凸部を簡単な構成により形成することができる等の効果を奏する。
【００１９】
本発明の請求項７の構成によれば、凸部を簡単な構成により形成することができる。また、シートを何度でも繰り返して使用することができる等の効果を奏する。
【００２０】
本発明の請求項８の構成によれば、凸部を簡単な構成により形成することができる。また、不織布に特別な加工を施す必要がないため、構成を簡素化することができる等の効果を奏する。
【００２１】
本発明の請求項９の構成によれば、凸部を簡単な構成により形成することができる。また、シートに特別な加工を施す必要がないため、構成を簡素化することができると共に、シートの種類の選択肢を広げることができる等の効果を奏する。
【００２２】
本発明の請求項１０の構成によれば、シートに植毛されたブラシにより絨毯等に付着している髪の毛や糸屑を掻き取ることができるため、ペットを飼っている家庭においても絨毯等を効率的に掃除することができる等の効果を奏する。
【発明を実施するための最良の形態】
【００２３】
（第１実施形態）
本発明に係る電気掃除機の第１実施形態を図１乃至図８に基づいて説明する。
【００２４】
第１実施形態の床用吸込具１は、上ケース２ａと下ケース２ｂからなって吸込口３が下方に形成された横長の吸込具ケース２と、吸込具ケース２の吸込口３に臨ませて吸込具ケース２に回転自在に支持された回転ブラシ４と、回転ブラシ４に巻き付けられるシート１３と、吸込具ケース２の前壁を構成すると共に吸込口３の前側部分（図２の左側）を開閉するカバー６と、吸込具ケース２の後面側に上下自在に且つ回転自在に取付けられ、吸込口３に連通するベンド５とから構成されている（図１、図６、図７参照）。そして、ベンド５が図示しない延長管やホースを介して掃除機本体に接続されるようになっている。
【００２５】
回転ブラシ４には、その芯体７の外周面にブラシ体８が等分間隔で長手方向に複数本装着されている。ブラシ体８は、ブラシ体８の根元部８ａを芯体７の外周面に形成した溝９に嵌め込むことで装着できるようになっている（図２参照）。また、回転ブラシ４は、吸込具ケース２に内蔵された図示しない電動モータにより、その駆動力が伝動ベルト等を介して伝達されて回転駆動する。この回転ブラシ４が回転することで床面のごみが掻き取られ、吸込口３から効果的に吸込まれることにより効率よく掃除できる。
【００２６】
回転ブラシ４に近接してその前方部分を覆うように位置するカバー６は、その長手方向の両端側に図示しないアーム部が一体形成され、このアーム部によって吸込具ケース２の両端部内側に回動自在に軸支されている。また、カバー６には、吸込具ケース２前端が壁面に当たった時にカバー６を上方向に回動させ、吸込口３の前方部を開放させるように作動するローラ１０が装着されている。ローラ１０は、その両端部を軸受部１０ａ、１０ａにて回転自在に装着されている（図１、図２参照）。
【００２７】
また、カバー６は、図示しないがその回動軸に、カバーを下方へ回動する方向へ付勢する付勢手段としての捻りバネが装着された構成となっている。従って、吸込具ケース２が壁面に当たらない所の床面掃除の時には、カバー６は吸込口３の前方部分を閉鎖し、下方部分のみが開口している。また、カバー６が開く時は、吸込具ケース２の内側に収納される構成となるように、上ケース２ａにはカバー６を後端部から収納するための収納凹部１１が形成されている。尚、ローラ１０は、吸込具ケース２の前面側が障害物に当たった場合のショック吸収というバンパーの役目を果たすものでもあるので、外周面が柔らかくて滑りやすい当接部材として、繊維質部材である起毛布によって覆われて形成されたものが好ましい。これであれば、壁面や家具などの傷付きを確実に防止できるようになると共に、極めてスムーズにカバー６を回動させることができる。
【００２８】
また、起毛布によりローラ１０が壁面に当接した状態で横方向に掃除する場合の左右の動きもスムーズになるという点で有用となる。絨毯等を掃除する際には回転ブラシ４を回転させることにより、絨毯等のごみを掻き取り、掻き取ったごみを吸込口３から吸引することで効果的に掃除ができるが、ペットを飼っている家庭では、ペットの毛がたくさん絨毯等に付着しており、このような家庭で回転ブラシ４を回転させても、十分に絨毯等からペットの毛を掻き取ることができない。
【００２９】
そこで、第１実施形態では、片面に複数の凸部１２を形成したシート１３を凸部１２を外側にして回転ブラシ４に巻き付ける構成とした（図６、図７参照）。シート１３の生地には長方形の不織布１４を使用し、図３に示すように一端側に、Ｖ字状に裁断した切込部１５を形成している。また、凸部１２は不織布１４の片面上に溶かした発泡ウレタン樹脂を滴下させることにより形成されている。即ち、溶かした発泡ウレタン樹脂が不織布１４の繊維間に浸入することにより、発泡ウレタン樹脂を不織布１４に固着させることができると共に、発泡ウレタン樹脂が冷却されて発泡することにより不織布１４上から突出する凸部１２が形成される。
【００３０】
次に、シート１３を回転ブラシ４に装着する方法について説明する。図５及び図６に示すようにシート１３の凸部１２を下側にして床に置き、床用吸込具１を切込部１５と対向する側のシート１３上に、ベンド５が切込部１４と対向する側になるように乗せる。この状態で掃除機の運転スイッチを入れて回転ブラシ４を回転させれば、回転する回転ブラシ４によってシート１３は回転ブラシ４に自動的に絡み付き装着される。
【００３１】
尚、このシート１３装着時、回転ブラシ４は通常の掃除機がけ時の回転よりも低速回転するよう運転制御されており、シート１３が勢いよく回転ブラシ４に巻き付いてシート１３が破損することを防止するようにしている。
【００３２】
また、シート１３の巻き始めの凸部１２側の面と、巻き終わりのシート１３の後端部（切込部１５側）の凸部１２と対向する面とは不織布１４同士が接するため、不織布１４の繊維がお互い絡み合うようになり、シート１３の後端部は剥がれ難くなる。
【００３３】
また、回転ブラシ４に巻き付くシート１３の後端部には、切込部１５を設けているため、シート１３の後端部が剥がれた場合でも床面や吸込具ケース２に当たる面積が小さくなり、シート１３の後端部があばれたり、吸込口３に吸込まれることによる異常音の発生が抑えられる。
【００３４】
このようにして、シート１３を装着した床用吸込具１で絨毯等を掃除する際には、回転ブラシ４を回転させる。絨毯等に付着している髪の毛や糸屑はシート１３の凸部１２により効率よく掻き取られ吸込口３から吸込まれる。また、一部の髪の毛や糸屑は不織布１４に付着する（図７参照）。シート１３を捨てる時や新しいシート１３に交換する時には、回転ブラシ４に巻き付けているシート１３を取り外す必要がある。シート１３を取り外す時は、図８に示すように、回転ブラシ４に巻き付いているシート１３の巻き終わり側の後端部を、指で摘んで手前に引き出すことによりシート１３を取り外すことができる。
【００３５】
また、凸部１２は、不織布１４の片面上に溶かした発泡ウレタン樹脂を滴下させることにより形成できるため、凸部１２の形成作業を容易に行うことができる。
尚、第１実施形態においては、不織布１４に溶かした発泡ポリウレタン樹脂を滴下させることにより、凸部１２を形成したがこれに限定されるものではなく、ゴム等からなる略円筒状の部材を不織布１４に熱溶着して凸部を形成する等の構成にしてもよい。即ち、不織布１４の片面に複数の凸部を付着させたものであればよい。
【００３６】
（第２実施形態）
図９乃至図１１は第２実施形態を示している。第１実施形態では、付織布１４の片面に、溶かした発泡ウレタン樹脂を滴下させることにより不織布１４に凸部１２を形成したが、第２実施形態では、不織布１４の両面に、溶かした発泡ウレタン樹脂を滴下させることにより不織布１４の両面に凸部１２ａを有するシート１３ａを構成している。
【００３７】
この構成により、第１実施形態と同様に絨毯等の髪の毛や糸屑を凸部１２ａで掻き取ることができる。また、シート１３ａを回転ブラシ４に巻き付けて絨毯等を掃除した後、シート１３ａを取り外し、シート１３ａの面を換えて再び回転ブラシ４に巻き付けることにより、再度シート１３ａを使用することができる。
【００３８】
この結果、シート１３ａの両面を使用することができるため、一枚のシート１３ａを長期に渡り使用することができ、ランニングコストを低下させることができる。また、凸部１２ａは、不織布１４に溶かした発泡ウレタン樹脂を滴下させることにより形成できるため、凸部１２ａの形成作業を容易に行うことができる。
【００３９】
また、シート１３ａの両面に凸部１２ａを形成しているため、シート１３ａを回転ブラシ４に巻き付けた際、凸部１２ａと不織布１４との接触が増えて抵抗が大きくなり、シート１３ａの後端部を剥れ難くすることができる。
【００４０】
また、図１０に示すようにシート１３ａの片面側の凸部１２ａの先端に鋭角なかぎ状部１６を形成してもよい。そうすれば、かぎ状部１６側を内側にしてシート１３ａを回転ブラシ４に巻き付けると、図１１のようにかぎ状部１６がシート１３ａ生地である不織布１４に食い込むため、回転ブラシ４の回転による遠心力がシート１３ａに加わった場合でも、シート１３ａの後端部をより剥れ難くすることができる。尚、このかぎ状部１５は両面の凸部１２ａに設けてもよい。こうすれば、シート１３ａのどちらの面を使用してもシート１３ａの後端部をより剥れ難くすることができる。
【００４１】
（第３実施形態）
図１２は第３実施形態を示している。第１実施形態では、付織布１４の片面に、溶かした発泡ウレタン樹脂を滴下させることにより不織布１４に凸部１２を形成したが、第３実施形態では、不織布１４に熱を加えてプレス処理を施すことにより不織布１４に凸部１２ｂを有するシート１３ｂを構成している。
【００４２】
凸部１２ｂは熱を加えてプレス処理されているため、所定の硬度を確保することができ、この凸部１２ｂにより第１実施形態と同様に絨毯等の髪の毛や糸屑を掻き取ることができる。また、凸部１２ｂを熱プレス加工という簡単な方法で形成することができ、凸部１２ｂの形成作業を容易に行うことができる。
【００４３】
（第４実施形態）
図１３及び図１４は第４実施形態を示している。第１実施形態では、不織布１４の片面に、溶かした発泡ウレタン樹脂を滴下させることにより不織布１４に凸部１２を形成したが、第４実施形態では、片面に複数の凸部１２ｃを形成したフィルム１７を不織布１４に接着等の手段により付着させてシート１３ｃを構成している。また、シート１３ｃの切込部１５に対向する一端側には、図１４に示すように一定幅にわたりフィルム１７が存在しない無フィルム部１８を設けている。
【００４４】
この結果、シート１３ｃを回転ブラシ４に巻き付ける際、シート１３ｃの後端部の不織布１４を、無フィルム部１８の不織布１４に接面させることができるため、シート１３ｃの後端部の不織布１４がフィルム１７に面することによるシート１３ｃの剥がれを防止できる。
【００４５】
また、絨毯等に付着している髪の毛や糸屑はシート１３ｃの凸部１２ｃにより効率よく掻き取られ吸込口３から吸込まれる。また、シート１３ｃの表面（回転ブラシ４の外周面）は髪の毛や糸屑が付着しないようにフィルム１７で覆っているため、何度でも繰り返して使用することができる。
【００４６】
（第５実施形態）
図１５乃至図１７は第５実施形態を示している。第１実施形態乃至第４実施形態では、回転ブラシ４に巻き付ける不織布１４に凸部を形成し、この凸部により絨毯等の髪の毛や糸屑を掻き取る構成にしていたが、第５実施形態では回転体１９により不織布１４を部分的に突出させる構成にしている。
【００４７】
第５実施形態では、第１実施形態乃至第４実施形態の回転ブラシ４替えて、図１５に示すように、部分的に突出部２０を有する回転体１９を配設した構成になっている。そして、この回転体１９に不織布１４を巻き付けることにより、突出部２０に接した不織布１４が図１７に示すように部分的に突出するため、この突出した凸部１２ｄにより第１実施形態乃至第４実施形態と同様に絨毯等の髪の毛や糸屑を掻き取ることができる。また、不織布１４に特別な加工を施す必要がないため、構成を簡素化することができる。
【００４８】
（第６実施形態）
図１８乃至図２１は第６実施形態を示している。第５実施形態では部分的に突出部２０を有する回転体１９に不織布１４を巻き付けることにより、不織布１４を部分的に突出させたが、第６実施形態では、塩化ビニル等からなる回転体１９ａの突出部２０ａの先端をシート２１から露出させる構成にしている。
第６実施形態では、図１８に示すように回転体１９ａの突出部２０ａの先端を尖らせて鋭利に形成しているため、回転体１９ａにシート２１を巻き付ける際に、突出部２０ａの先端がシート２１を突き破ってシート２１の外側に露出する。そして、回転体１９ａを回転させて絨毯等を掃除する時には、シート２１から露出した突出部２０ａの先端からなる凸部１２ｅにより絨毯等から髪の毛や糸屑を掻き取ることができる。また、凸部１２ｅに絡み付いた髪の毛や糸屑は、回転体１９ａからシート２１を取り外す際に、シート２１と共に凸部１２ｅから剥がれるため、メンテナンスを容易に行うことができる（図２１参照）。また、シート２１に特別な加工を施す必要がないため、構成を簡素化することができる。
【００４９】
尚、第６実施形態では、回転体１９ａの突出部２０ａの先端がシート２１を突き破ることにより、シート２１は回転体１９ａに装着されるため、第１実施形態乃至第５実施形態のように不織布１４同士の絡み合いによりシートを装着する必要はない。従って、第６実施形態のシート２１の生地は、第１実施形態乃至第５実施形態で使用した不織布１４にする必要はなく、回転体１９ａの回転により破損しない程度の強度を有するシート２１であればよい。よって、シート２１の種類の選択肢を広げることができる。
【００５０】
（第７実施形態）
図２２及び図２３は第７実施形態を示している。第７実施形態のシート４１は、不織布１４にブラシ４０が植毛された構成となっている。
シート４１を回転ブラシ４に巻き付けた状態において、図２３に示すように不織布１４の外周面からブラシ４０が張り出しているので、このブラシ４０により第１実施形態と同様に絨毯等の毛や糸屑を掻き取ることができる。
【００５１】
（第８実施形態）
図２４及び図２５は第８実施形態を示している。第８実施形態のシート４２は、塗工加工された略長方形の天然ゴムシート４３を、不織布１４に接着等の手段により付着させたものである。天然ゴムシート４３は、表面が削り刃によって削り落とされており、短手方向に沿って複数の凸部４３ａが形成されるとともに、長手方向には、プレスによって凸部４３ａと交差する複数の切抜部４３ｂが連続的に形成されている。
【００５２】
この構成により、切抜部４３ｂと凸部４３ａのところで段差が生じるので、この凸部４３ａにより第１実施形態と同様に絨毯等の毛や糸屑を掻き取ることができる。
また、天然ゴムシート４３を図２６に示すように、長手方向の両端と切抜部４３ｃとをのこぎり状にカットしても構わない。この構成により、隣り合う凸部４３ａが回転ブラシ４の回転方向に対して連続して同じ位置とならないので、より確実に絨毯等の毛や糸屑を掻き取ることができる。
【００５３】
更に、天然ゴムシート４３を図２７に示すように、切抜部４７ｄを犬の形に切り抜いても構わない。この構成により、凸部４３ａにて絨毯等の毛や糸屑を掻き取ることができるとともに、シート４２のデザイン性を向上させることができる。
【図面の簡単な説明】
【００５４】
【図１】本発明の第１実施形態の床用吸込具の斜視図である。
【図２】同床用吸込具の側断面図である。
【図３】同床用吸込具の回転ブラシに巻き付けられるシートの外観図である。
【図４】同床用吸込具の回転ブラシに巻き付けられるシートの側面図である。
【図５】同床用吸込具の回転ブラシにシートを巻き付ける状態を示す上面図である。
【図６】同床用吸込具の回転ブラシにシートを巻き付ける状態を示す側断面図である。
【図７】同床用吸込具の回転ブラシにシートを巻き付けた状態を示す側断面図で、凸部に髪の毛や糸屑が巻き付いた状態を示す。
【図８】同床用吸込具の回転ブラシに巻き付けたシートを取り外す状態を示す側断面図である。
【図９】本発明の第２実施形態のシートの側面図である。
【図１０】同他の形態を示すシートの側面図である。
【図１１】同他の形態を示すシートを回転ブラシに巻き付ける状態を示す側断面図である。
【図１２】本発明の第３実施形態のシートの断面図である。
【図１３】本発明の第４実施形態のシートの側面図である。
【図１４】同シートの上面図である。
【図１５】本発明の第５実施形態の回転体の外観図である。
【図１６】同回転体にシートを巻き付ける状態を示す側断面図である。
【図１７】同回転体にシートを巻き付ける状態を示す側断面図で、拡大した状態を示す。
【図１８】本発明の第６実施形態の回転体の外観図である。
【図１９】同回転体にシートを巻き付ける状態を示す側断面図である。
【図２０】同回転体にシートを巻き付けた状態を示す側断面図で、拡大した状態を示す。
【図２１】同回転体に巻き付いたシートを取り外す状態を示す側断面図である。
【図２２】本発明の第７実施形態のシートの上面図である。
【図２３】同シートの断面図である。
【図２４】本発明の第８実施形態のシートの上面図である。
【図２５】同シートの断面図である。
【図２６】同他の形態を示すシートの上面図である。
【図２７】同他の形態を示すシートの上面図である。
【符号の説明】
【００５５】
１      床用吸込具
２      吸込具ケース
３      吸込口
４      回転ブラシ
７      芯体
８      ブラシ体
１２    凸部
１３    シート
【図１】
2005034600.tif 000003
【図２】
2005034600.tif 000004
【図３】
2005034600.tif 000005
【図４】
2005034600.tif 000006
【図５】
2005034600.tif 000007
【図６】
2005034600.tif 000008
【図７】
2005034600.tif 000009
【図８】
2005034600.tif 000010
【図９】
2005034600.tif 000011
【図１０】
2005034600.tif 000012
【図１１】
2005034600.tif 000013
【図１２】
2005034600.tif 000014
【図１３】
2005034600.tif 000015
【図１４】
2005034600.tif 000016
【図１５】
2005034600.tif 000017
【図１６】
2005034600.tif 000018
【図１７】
2005034600.tif 000019
【図１８】
2005034600.tif 000020
【図１９】
2005034600.tif 000021
【図２０】
2005034600.tif 000022
【図２１】
2005034600.tif 000023
【図２２】
2005034600.tif 000024
【図２３】
2005034600.tif 000025
【図２４】
2005034600.tif 000026
【図２５】
2005034600.tif 000027
【図２６】
2005034600.tif 000028
【図２７】
2005034600.tif 000029